(57)【要約】【課題】従来の移動通信システムでは、使用する移動局無線装置の全てに対して、個別にグループ設定作業を行わなければならず、移動通信システムを導入時には、顧客側での手間がかかってしまっていた。【解決手段】グループ設定を集中制御装置で一括管理し、移動局無線装置の電源立ち上げ時に、集中制御装置に接続された基地局無線装置から自動的にグループ情報をダウンロードし、グループの自動設定を行うことによって、従来の問題点である設定作業の手間を無くした。【選択図】図１
2010103750.tif 000002
【特許請求の範囲】
【請求項１】
グループ設定情報を保存する第１の記憶装置と該グループ設定情報を要求のあった場合に送信する第１の送受信部と第１の制御部とを具備する集中制御装置、前記集中制御装置とデータを送受し合う第２の送受信部と第２の制御部と自局の通信エリア内の移動局無線装置と無線通信するための第３の送受信部とを具備する基地局無線装置、及び前記移動局無線装置を有する移動通信システムであって、
前記基地局無線装置は、さらに、前記グループ設定情報を保存する第２の記憶装置を具備し、
前記第２の制御部は、所定の周期で、前記集中制御装置に前記グループ設定情報を要求し、要求された前記グループ設定情報が受信された場合には、前記第２の記憶装置に保存された前記グループ設定情報を更新することを特徴とする移動通信システム。
【発明の詳細な説明】
【技術分野】
【０００１】
本発明は、ＳＣＰＣ（ Single Channel Per Carrier ）方式による業務用デジタル移動通信システムに関し、特に移動局のグループ分け技術に関する。
【背景技術】
【０００２】
従来は、ＳＣＰＣ方式による移動通信システムで使用する移動局無線装置では、複数のチャネルをグループとして登録する機能を有しており、グループ機能を使用することにより、グループに未登録のチャネルをスキップすることができる。しかしながら、グループ設定は、グループ設定を行おうとする移動局無線装置でしか設定することができなかった。例えば、特許文献１では、基地局がグループ変更の要求を行えるが、変更要求の通知を受けた移動局が、自己の情報テーブルを変更することでグループ変更している。
【０００３】
【特許文献１】特開２００７−２２１６２１号公報、段落００１５、００３３、００４０〜００４２、等
【発明の開示】
【発明が解決しようとする課題】
【０００４】
従来の移動通信システムでは、使用する移動局無線装置の全てに対して、個別にグループ設定作業を行わなければならず、移動通信システムを導入時には、顧客側での手間がかかってしまっていた。
本発明は、上記のような問題に鑑み、本発明は、移動局無線装置に対するグループ設定を自動化することによって、移動無線システムの導入時における顧客側の手間を緩和することを目的とする。
【課題を解決するための手段】
【０００５】
上記の目的を達成するために、本発明の移動無線システムは、グループ設定を集中制御装置で一括管理し、移動局装置の電源立ち上げ時に、集中制御装置に接続された基地局無線装置から自動的にグループ情報をダウンロードし、グループの自動設定を行うものである。
【０００６】
即ち、本発明の移動通信システムは、グループ設定情報を保存する第１の記憶装置と該グループ設定情報を要求のあった場合に送信する第１の送受信部と第１の制御部とを具備する集中制御装置、前記集中制御装置とデータを送受し合う第２の送受信部と第２の制御部と自局の通信エリア内の移動局無線装置と無線通信するための第３の送受信部とを具備する基地局無線装置、及び前記移動局無線装置を有する移動通信システムであって、前記基地局無線装置は、さらに、前記グループ設定情報を保存する第２の記憶装置を具備し、前記第２の制御部は、所定の周期で、前記集中制御装置に前記グループ設定情報を要求し、要求された前記グループ設定情報が受信された場合には、前記第２の記憶装置に保存された前記グループ設定情報を更新するものである。
また好ましくは、上記本発明の移動通信システムにおいて、前記基地局無線装置は、第３の送受信部を具備し、前記第２の制御部は、前記第２の記憶装置に保存された前記グループ設定情報を読出し、通信エリア内に位置する移動局無線装置１０３が自局と同期をとるための空線信号に前記グループ設定情報を付加して前記第３の送受信部から送信するものである。
またさらに好ましくは、上記本発明の前記グループ設定情報を空線信号に付加して送信する移動通信システムにおいて、前記移動局無線装置は、電源電源立ち上げ時に前記空線信号を受信して、該受信された空線信号に付加された前記グループ設定情報を取り出して、グループ設定を行うものである。
【発明の効果】
【０００７】
本発明によれば、移動局無線装置に対するグループ設定を自動化することによって、システム導入時における顧客側の手間を緩和することができる。
また、本発明によれば、事故や災害発生等の緊急事態発生時の急な応援等のために、移動局無線装置を普段使用しているエリアとは別のエリアで使用することになった場合においても、グループ設定の自動化によって迅速に移動先のエリアでの使用に対応することができる。
【発明を実施するための最良の形態】
【０００８】
本発明の移動通信システムは、集中制御装置と、集中制御装置に接続される基地局無線装置、及び移動局無線装置で構成され、ＳＣＰＣ（ Single Channel Per Carrier ）方式によるシステムである。本発明の移動通信システムは、例えば、業務用デジタル移動通信システムである。
即ち、本発明の移動通信システムにおいて、移動局無線装置のグループ設定を、移動局無線装置の電源立ち上げ時に自動的に設定する。
移動局無線装置に設定するためのグループの情報は、集中制御装置で管理し、基地局無線装置は、所定時間間隔で、自局内のグループ設定情報を集中制御装置からダウンロードし、移動局無線装置は、設定するグループ設定情報を、基地局無線装置から取得する。
以下、添付図面を参照しながら本発明の実施形態を詳細に説明する。なお、各図の説明において、共通な機能を有する構成要素には同一の参照番号を付し、できるだけ説明の重複を避ける。
【０００９】
図１によって、本発明の移動無線システムの一実施形態を説明する。図１は、本発明の移動通信システムの一実施例の構成を説明する模式図である。１０１は集中制御装置、１０２は基地局無線装置、１０３は移動局無線機、１１２は基地局無線装置１０２のアンテナ、１１３は移動局無線機１０３の移動体、１２１は伝送路、１２３はアンテナ１１２から送信される空線信号である。移動体１１３は、例えば、人物であり、例えば、車両である。また伝送路１２１は、例えば、２Ｗ若しくは４Ｗのメタル回線、又は、搬送回線などである。
図１におけるシステム構成は、最少の構成になっており、本発明における構成可能なそれぞれの台数は、集中制御装置１０１が１台、基地局無線装置１０２が１台以上、移動局無線装置１０３が１台以上である。
【００１０】
図１において、集中制御装置１０１と基地局無線装置１０２間は、伝送路１２１で接続されており、ＭＳＫ（ Minimum Shift Keying ）変調方式等によってデータの送受信が可能となっている。また、基地局無線装置１０２と移動局無線装置１０３間のデータの送受信は、ＳＣＰＣ（ Single Channel Per Carrier ）方式の無線通信方式である。
【００１１】
次に、図２によって、本発明の移動通信システムにおける集中制御装置の一実施形態を説明する。図２は、本発明の移動通信システムで使用する集中制御装置１０１の一実施例の構成を説明するブロック図である。２０１は入力部、２０２は制御部、２０３は記憶装置、２０４は送受信部である。
図２において、集中制御装置１０１は、登録又は変更するためのインタフェースとして入力部２０１を有し、入力部２０１は、ユーザ操作の内容を制御部２０２に出力し、かつ、制御部２０２からの応答を受け、例えば、図示しない表示部に表示する。
制御部２０２は、入力部１０２からのユーザ操作と、内蔵された実行プログラムに従って集中制御装置１０１内の機器を制御する。制御部２０２は、例えば、ＣＰＵ（ Central Processing Unit ）であり、図示しないプログラムメモリ、ワークメモリ、等を備え、機器の制御を行う。
記憶装置２０３は、制御部２０２の制御に従って、グループ設定情報等を保存する。記憶装置２０３は、グループ設定情報を、例えば、図７（後述）に示すようなグループ設定情報テーブルで保存する。また、記憶装置２０３内に保存されるグループ設定情報テーブルには、集中制御装置１０１に属する全ての基地局無線装置１０２に属する移動局無線装置１０３のグループ設定情報を保存する。
送受信部２０４は、制御部２０２の制御に従って、集中無線装置１０１と基地局無線装置１０２間で、データの送受信を行う。
【００１２】
次に、図３によって、本発明の移動通信システムにおける基地局無線装置の一実施形態を説明する。図３は、本発明の移動通信システムで使用する基地局無線装置１０２の一実施例の構成を説明するブロック図である。３０１はアンテナ、３０２は送受信部、３０３は制御部、３０４は記憶装置、３０５は送受信部である。
図３において、制御部３０３は、内蔵された実行プログラムに従って基地局無線装置１０２の内の機器を制御する。制御部３０３は、例えば、ＣＰＵであり、図示しないプログラムメモリ、ワークメモリ、等を備え、機器の制御を行う。
送受信部３０５は、集中制御装置１０１と伝送路１２１を介してデータの送受を行い、例えば、受信したグループ設定情報等のデータを制御部３０３に出力する。制御部３０３は、入力されたグループ設定情報等のデータを記憶装置３０４に出力し、また実行プログラムに従って、記憶装置３０４に保存されたグループ設定情報等のデータを読み出して、読み出したデータを送受信部３０２に出力する。
記憶装置３０４は、制御部３０３から入力されたグループ設定情報等のデータを保存若しくは更新する。また、記憶装置３０４は、制御部３０３の制御に従って、保存されたグループ設定情報等のデータを出力する。なお、記憶装置３０４は、グループ設定情報を、例えば、図７（後述）に示すようなグループ設定情報テーブルで保存する。ただし、記憶装置３０４内に保存されるグループ設定情報テーブルには、自基地局無線装置１０２内の移動局無線装置１０３のグループ設定情報を保存するだけで、他の基地局無線装置に属する移動局無線装置のグループ設定情報は保存しない。
送受信部３０２は、入力されたグループ設定情報等のデータを、空線信号１２３に付加してアンテナ３０１を介して送信する。
また、アンテナ３０１は、上述のように空線信号を送信する他、基地局エリア内の移動局無線機からの空線信号を受信し、送受信部３０２に出力する。
【００１３】
次に、図４によって、本発明の移動通信システムにおける移動局無線装置の一実施形態を説明する。図４は、本発明の移動通信システムで使用する移動局無線装置１０３の一実施例の構成を説明するブロック図である。４０１はアンテナ、４０２は送受信部、４０３は制御部、４０４は記憶装置、４０５は入力部、４０６は表示部である。
図４において、制御部４０３は、内蔵された実行プログラムに従って移動局無線装置１０３の内の機器を制御する。制御部４０３は、例えば、ＣＰＵであり、図示しないプログラムメモリ、ワークメモリ、等を備え、機器の制御を行う。
また制御部４０３は、入力部４０５の操作に対する制御部４０３からの応答や、制御部４０３自身が実行するプログラムに従った内容（例えば、基地局１０２からの一斉通報、等の内容）を表示部４０６に出力する。
アンテナ４０１は、基地局無線機１０２から送信される空線信号を受信し、送受信部４０２に出力する。また、アンテナ４０１は、送受信部４０２から入力される空線信号を送信する。
送受信部４０２は、アンテナ４０１から入力された空線信号から、元のグループ設定情報等のデータを取り出し、取り出したデータを制御部４０３に出力する。
入力部４０５は、ユーザ操作の内容を制御部４０３に出力する。
表示部４０６は、入力された内容を出力する。表示部４０６の出力は、例えば、図示しない表示部に文字、図形、若しくは画像の少なくとも１つを表示する。また表示部４０６は、画面表示ではなく、例えば、図示しないスピーカから音声出力するようにしても良い、また、画面表示と音声出力の両方を実行するようにしても良い。
【００１４】
次に、図５によって、本発明の移動通信システムの基地局無線装置におけるグループ設定情報の実行手順の一実施形態を説明する。図５は、本発明の基地局無線装置におけるグループ設定情報の実行手順の一実施例を説明するための同期シーケンス図である。
図５において、基地局無線装置１０２は、定期的に、集中制御装置１０１からグループ設定情報をダウンロードする。
即ち、基地局無線装置１０２は、伝送路１２１を介して集中制御装置１０１にグループ設定情報を問い合わせる信号を送信する（ステップＳ５０１）。問い合わせを受けた集中制御装置１０１は、当該問合せ先のグループ設定情報を記憶装置２０３から読み出して、当該問合せ先の基地局無線装置１０２に読み出したデータを送信する（ステップＳ５０２）。
基地局無線装置１０２は、上記集中制御装置１０１から送信されたグループ設定情報を受信し、記憶装置３０４に保存されているグループ設定情報の内容を、受信したグループ設定情報に更新する（ステップＳ５０３）。
制御部３０３は、更新後、一定の時間（所定時間）経過したか否かを監視し、所定時間経過した場合には、再び、ステップＳ５０１〜ステップＳ５０４のプロセスを実行する（ステップＳ５０４）。
【００１５】
次に、図６によって、本発明の移動通信システムの移動局無線装置におけるグループ設定情報の実行手順の一実施形態を説明する。図６は、本発明の移動局無線装置におけるグループ設定情報の実行手順の一実施例を説明するための同期シーケンス図である。
図６において、基地局無線装置１０２は、常送中である。即ち、移動局無線装置１０３がアイドル状態の場合でも、基地局無線装置１２は、送受信部３０２からアンテナ３０１を介して、常に空線信号を送信しており、通信エリア内に位置する移動局無線装置１０３は、常に、基地局無線装置１０２と同期が取られている状態である。本発明では、基地局無線装置１０２は、この常送中に送信する空線信号に、記憶装置３０４内のグループ設定情報を加えて、所定時間毎に送信し続ける（ステップＳ６０１、Ｓ６０２、Ｓ６０３、Ｓ６０４、‥‥‥）。
移動局無線装置１０３は、電源立ち上げ（ステップＳ６１１）時に基地局無線装置１０２と同期し、かつ最初に受信した受信信号から、グループ設定情報を取得する（ステップＳ６１２）。
そして、移動局無線装置１０３は、取得したグループ設定情報を元にグループ設定を行う（ステップＳ６１３）。
【００１６】
図７は、本発明の移動通信システムにおいて、集中制御装置若しくは基地局無線装置に保存されるグループ設定情報テーブルの構造の一実施例を示す図である。
集中制御装置１０１と基地局無線装置１０２は、グループ設定情報を図７のデータ構造で保存し、データ転送時には、グループ設定情報は１セル＝１ビットとして纏めて、基地局無線装置１０２から空線信号と共に送信する。当該基地局送信装置１０２の通信エリア内の移動局無線装置１０３は、それぞれ、空線信号を受信することによって、グループ設定情報を受信する。
【００１７】
移動局無線装置１０３は、受信したグループ設定情報の登録フラグに１がセットされているグループに対してのみ、移動局無線装置３の当該グループ設定を変更する。そして、チャネル番号列のセルの値が１の場合に、当該グループに当該チャネルが登録される。例えば、図７に示すような値が設定されているとする。ただし、図７において。省略部は全て０がセットされていることとする。
この図７のような場合には、移動局無線装置１０３には、グループ１にチャネル１，３，５が登録され、グループ２は削除される。グループ３〜グループ９は、既存の設定のまま変更されない。
【００１８】
上述のように、本発明の移動無線システムは、グループ設定を集中制御装置で一括管理し、移動局無線装置の電源立ち上げ時に、集中制御装置に接続された基地局無線装置からの空線信号を受信し、受信した空線信号に含まれるグループ情報を自動的にダウンロードする。これによって、移動局無線装置が、グループ設定を自動的に行うことができる。従って、従来の問題点である設定作業の手間を無くした。
【図面の簡単な説明】
【００１９】
【図１】本発明の移動通信システムの一実施例の構成を説明する模式図。
【図２】本発明の移動通信システムで使用する集中制御装置の一実施例の構成を説明するブロック図。
【図３】本発明の移動通信システムで使用する基地局無線装置の一実施例の構成を説明するブロック図。
【図４】本発明の移動通信システムで使用する移動局無線装置の一実施例の構成を説明するブロック図。
【図５】本発明の基地局無線装置におけるグループ設定情報の実行手順の一実施例を説明するための同期シーケンス図。
【図６】本発明の移動局無線装置におけるグループ設定情報の実行手順の一実施例を説明するための同期シーケンス図。
【図７】本発明のグループ設定情報テーブルの構造の一実施例を示す図。
【符号の説明】
【００２０】
１０１：集中制御装置、  １０２：基地局無線装置、  １０３：移動局無線機、  １１２：アンテナ、  １１３：移動体、  １２１：伝送路、、  １２３：空線信号、  ２０１：入力部、  ２０２：制御部、  ２０３：記憶装置、  ２０４：送受信部、  ３０１：アンテナ、  ３０２：送受信部、  ３０３：制御部、  ３０４：記憶装置、  ３０５：送受信部、  ４０１：アンテナ、  ４０２：送受信部、  ４０３：制御部、  ４０４：記憶装置、  ４０５：入力部、  ４０６：表示部。
【図１】
2010103750.tif 000003
【図２】
2010103750.tif 000004
【図３】
2010103750.tif 000005
【図４】
2010103750.tif 000006
【図５】
2010103750.tif 000007
【図６】
2010103750.tif 000008
【図７】
2010103750.tif 000009